(57)【要約】【課題】送風機の送風ロスの少ない流れを確保し、風量アップを図る。【解決手段】ダクト通路１９内に配置された送風機２９を、その送風軸線Ｘが庫内背面１７と直交し合うほぼ水平位置から所定角度傾斜θする傾斜姿勢とし、その傾斜姿勢の傾斜角度を１５度以内として、無理に屈曲することのない流れを作る。【選択図】　　　図１
2004020134.tif 000002
【特許請求の範囲】
【請求項１】
冷蔵庫本体のほぼ垂直な庫内背面に沿って配置されたダクト通路内に、前記庫内背面と直交し合うほぼ水平な送風軸線に沿って送風する送風機を配置した冷凍冷蔵庫において、前記送風機を、その送風軸線が庫内背面と直交し合うほぼ水平位置から所定角度傾斜する傾斜姿勢とし、その傾斜姿勢の傾斜角度を１５度以内とすることを特徴とする冷凍冷蔵庫。
【請求項２】
送風機は、その送風機を支持する支持ダクトと一緒に傾斜する傾斜姿勢となっていることを特徴とする請求項１記載の冷凍冷蔵庫。
【請求項３】
送風機のモータ部から下方へ突出しモータコードが延長されるモータハウジングを、垂直位置からモータコードの配索方向へ向けて所定角度回動させた回動位置に配置することを特徴とする請求項１又は２記載の冷凍冷蔵庫。
【請求項４】
送風機の傾斜下端側領域で、下流側となるダクト通路を、庫内壁面へ向け拡大し通路幅を広げたことを特徴とする請求項１又は２記載の冷凍冷蔵庫。
【発明の詳細な説明】
【０００１】
【発明の属する技術分野】
この発明は、冷気循環用の送風機を備えた冷凍冷蔵庫に関する。
【０００２】
【従来の技術】
従来、冷気循環用の送風機を備えた冷凍冷蔵庫としては、例えば、図１１に示すように冷気循環通路となるダクト通路１０１内に送風機１０３が配置されている。
【０００３】
送風機１０３は送風軸線Ｘが庫内背面１０５と直交し合うほぼ水平位置となっていて、図外の蒸発器で熱交換された冷気を、矢印で示すように下方から上流側となる上方へ向けて送風するようになっている。
【０００４】
【発明が解決しようとする課題】
送風機１０３は、その送風軸線Ｘに沿って送風するところから、送風機１０３領域の冷気の流れを視察すると、下方から送風軸線Ｘに沿って水平に流れた後、上方へ向かうクランク状の流れとなることがわかる。特に、送風軸線Ｘに沿って冷気が流れる領域は、冷気の流れが急激に屈曲された流れとなるために、その分、ロスも大きく、風量低下につながる等、風量効率の面で望ましくなかったものである。
【０００５】
そこで、この発明は、急激に屈曲することのない無理のない流れを作ることで、送風機の風量アップを図った冷凍冷蔵庫を提供することを目的としている。
【０００６】
【課題を解決するための手段】
前記目的を達成するために、この発明の請求項１にあっては、冷蔵庫本体のほぼ垂直な庫内背面に沿って配置されたダクト通路内に、前記庫内背面と直交し合うほぼ水平な送風軸線に沿って送風する送風機を配置した冷凍冷蔵庫において、前記送風機を、その送風軸線が庫内背面と直交し合うほぼ水平位置から所定角度傾斜する傾斜姿勢とし、その傾斜姿勢の傾斜角度を１５度以内とすることを特徴とする。
【０００７】
これにより、送風機の傾斜姿勢によって送風軸線が冷気の流れ方向へ向かうになるため急激に屈曲することのない冷気の流れが確保され、送風ロスは小さく抑えられる。この結果、同じ回転数で風量が増加するため、例えば従来と同風量を得る場合には送風機の回転数を下げることが可能となり、騒音低下につながるようになる。
【０００８】
また、この発明の請求項２にあっては、送風機を、その送風機を支持する支持ダクトと一緒に傾斜する傾斜姿勢とすることを特徴とする。
【０００９】
これにより、送風機と送風機を取付ける支持ダクトとの関係を、最適位置に保持したまま傾斜姿勢とすることができる。
【００１０】
また、この発明の請求項３にあっては、送風機のモータ部から下方へ突出しモータコードが延長されるモータハウジングを、垂直位置からモータコードの配索方向へ向けて所定角度回動させた回動位置に配置することを特徴とする。
【００１１】
これにより、ハウジングの位置を冷気を取入れる取入れ領域の外へ配置することが可能となるため、取入れ領域の障害物がなくなり風量アップにつながると共に、モータコードの配索を短くすることが可能となる。
【００１２】
また、この発明の請求項４にあっては、送風機の傾斜下端側領域で、下流側となるダクト通路を、庫内壁面へ向け拡大し通路幅を拡げることを特徴とする。
【００１３】
これにより、傾斜姿勢とした送風機の傾斜下端側領域において、上流側から取入れられた冷気は無理なく上方へ向かう円滑な流れが確保されるようになる。
【００１４】
【発明の実施の形態】
以下、図１乃至図１０の図面を参照しながらこの発明の実施の形態について具体的に説明する。
【００１５】
図２はこの発明にかかる冷凍冷蔵庫１の概要断面図を示している。
【００１６】
冷蔵庫本体３は、上方から冷蔵室５、野菜室７、第１、第２の冷凍室９を有し、第１、第２の冷凍室９は仕切壁１１により前記冷蔵室５及び野菜室７に対して独立した貯蔵室となっている。冷蔵室５、野菜室７の前方の扉１３は開閉式、第１、第２の冷凍室９の前方の扉１５は引出式となっている。
【００１７】
冷蔵室５、野菜室７の庫内背面１７には、その庫内背面１７に沿ってほぼ垂直なダクト通路１９が設けられている。
【００１８】
ダクト通路１９は、冷気吹出口２１から冷蔵室５及び野菜室７の各庫内へ向けて冷気を吹出す冷気循環路となっている。冷蔵室５領域のダクト通路１９は庫内ダクト２３により、野菜室７領域のダクト通路１９は送風ダクト２５にそれぞれ形成されていて上下に組合わされた一体構造となっている。この場合、ダクト通路１９は一本の連続し合うダクトで形成することも可能である。
【００１９】
送風ダクト２５は、図３に示すようにダクト主体部２５ａとその内側に設けられた断熱部材２７で形成され、その内部には送風機２９とその送風機２９の上流側で図面下方には図２に示すように蒸発器３１がそれぞれ配置されている。
【００２０】
蒸発器３１は、圧縮機３３、凝縮器、絞り装置（いずれも図示していない）ことにより冷凍サイクルを構成し、空気が通過することで熱交換が行われるようになっている。
【００２１】
なお、冷凍サイクルを構成する圧縮機３３、凝縮器、絞り装置（図示していない）は、冷蔵庫本体３の背面下部に設けられた機械室３５内に配置された構造となっている。
【００２２】
送風機２９は、モータ部３７とモータ部３７からの回転動力によって回転動力が与えられるモータ軸部３９に取付けられた回転羽根４１とから成っている。回転羽根４１は支持ダクト４３の開口風路口４５に配置されると共に、モータ部３９は前記開口風路口４５に設けられた複数の支持ステー４７により固定支持されている。
【００２３】
送風機２９は、その送風軸線Ｘが庫内背面１７と直交し合うほぼ水平位置から所定角度θ傾斜した前傾姿勢に設定されている。
【００２４】
送風機２９の前傾姿勢は、送風機２９単独による前傾姿勢としてもよい。
【００２５】
あるいは、図１に示すように送風機２９が支持された支持ダクト４３ごと所定角度θ傾斜させることで前傾姿勢とする手段を用いてもよい。
【００２６】
具体的には、図３に示すように断熱部材２７から一対の取付けアーム４９を突出し、その取付けアーム４９の取付面４９ａに突合せた状態で支持ダクト４３の取付部を固定ビス５１によって付ける構造をなっている。これにより、支持ダクト４３と送風機２９とを、従来通りの位置関係を保持したまま傾斜姿勢の取付け状態が得られるようになっている。
【００２７】
図７及び図１０は送風機２９を傾斜させた各傾斜角度θの実験データを示したものである。
【００２８】
図７（ａ）（ｂ）は傾斜姿勢の角度がゼロの時の現状モデル、図８（ａ）（ｂ）は傾斜姿勢が５度傾斜した５度傾斜モデル、図９（ａ）（ｂ）は傾斜姿勢が１０度傾斜した１０度傾斜モデル、図１０（ａ）（ｂ）は傾斜姿勢が１５度傾斜した１５度傾斜モデルをそれぞれ示している。各図の（ａ）はファン下流側での圧力分布図で、等圧線で示されており、一番内側の斜線領域が一番高いことを示している。
【００２９】
（ｂ）は乱れ度を示し、各点で示した領域が乱れ領域となっている。
【００３０】
これによると、傾斜姿勢の角度がゼロの現状モデルの送風機９による仕事は８．２Ｐａとなっている。一方、図８に示す５度傾斜モデルにあっては、乱れ、は傾斜角度がゼロの現状モデルとほぼ同等ながら送風機２９による仕事は１．５倍の１２．６Ｐａとなっていることがわかる。
【００３１】
次に、図９に示す１０度傾斜モデルにあっては、下から吸い込む流量が多く翼間でスムーズに通過できていない部分があり、乱れ、が大きくなっているが、仕事は１６．４Ｐａと大きく向上していることが分かる。次に、図１０に示す１５度傾斜モデルにあっては、乱れ、が大きくなると共に、仕事は１６．３Ｐａと、１０度傾斜モデルより若干低下する傾向を示すようになるところから、傾斜角度としては１５度以内が望ましい。最適な傾斜角度としては約１０度である。
【００３２】
この場合、送風機２９の傾斜下端側で、下流側となるダクト通路１９は、図５に示すように狭くなった領域を拡大した通路幅ｄとすることで、ロスのない確実な流れが確保されるようになる。
【００３３】
一方、図３、図４に示すように、送風機２９のモータ部３７から下方へ突出しモータコード５３が延長されるモータハウジング５５は、垂直位置Ｙからモータコード５３の配索方向へ向けて所定角度回動させた回動位置に配置されている。
【００３４】
回動位置としては、図６に示すように送風機２９による取入量が一番多い領域Ｇが斜線で示す部分であることが解析の結果判ったもので、その一番取入量の多い領域Ｇから外れた位置に設けられている。この場合、回動位置としてはα≦４５°の範囲内が望ましく、取入れ領域の障害がなくなり確実な取入れが可能となる。しかも、図３仮想線で示すようにモータコード５３の配索が短くて済むメリットが得られるようになる。
【００３５】
なお、第１、第２の冷凍室９の庫内背面に沿って設けられたダクト通路５７内の送風機５９にあっては、前記した送風機２９と同様の傾斜姿勢とすることが望ましい。
【００３６】
このように構成された冷凍冷蔵庫１によれば、送風機２９の作動により蒸発器３１によって熱交換された冷気は、送風機２９において上流側となる下方から下流側となる上方へ向けて流れ、各冷気吹出口２１から各庫内へ向け吹出されるようになる。
【００３７】
この場合、送風機２９の領域において、冷気は図１矢印のように無理に屈曲することのない流れとなるため、送風ロスの少ない流れが確保され、風量がアップする。
【００３８】
特に、図９に示すように１０度傾斜モデルの場合、送風機２９の仕事は１６．４Ｐａとなり、傾斜ゼロの現状モデルに比べて約２倍の向上が認められた。
【００３９】
したがって、同一風量でよい場合には、送風機２９の回転数を落とすことが可能となり、その分騒音低下につながる。
【００４０】
【発明の効果】
以上、説明したように、この発明の請求項１によれば、送風機の傾斜姿勢によって送風ロスの少ない流れが得られるようになり、送風量の増加を図ることができる。したがって、従来と同風量を得る場合には送風機の回転数を下げることが可能となり、騒音低下につながるようになる。
【００４１】
また、この発明の請求項２によれば、送風機と、送風機を取付ける支持ダクトとの関係を最適位置に保持したまま傾斜姿勢とすることができる。
【００４２】
また、この発明の請求項３によれば、空気取入領域の障害物がなくなり、風量アップを図ることができると共に、モータコードの配索を短くすることができるメリットが得られる。
【００４３】
また、この発明の請求項４によれば、傾斜姿勢とした送風機の傾斜下端側領域において、狭い通路幅がなくなるため、上方へ向かう、送風ロスのない円滑な流れを確保することができる。
【図面の簡単な説明】
【図１】この発明にかかる冷凍冷蔵庫の送風機を所定角度傾斜させた傾斜姿勢とした概要説明図。
【図２】この発明にかかる冷凍冷蔵庫全体の概要切断面図。
【図３】送風ダクトと送風機との概要分解斜視図。
【図４】送風機を支持ダクトに取付けた状態の概要背面図。
【図５】送風機の傾斜下端部側で、下流側のダクト通路の通路幅を拡げた概要説明図。
【図６】送風機の取入れ領域の最大位置を示した概要説明図。
【図７】傾斜ゼロの現行モデルを示した送風機の実験データ。
【図８】５度傾斜モデルを示した送風機の実験データ。
【図９】１０度傾斜モデルを示した送風機の実験データ。
【図１０】１５度傾斜モデルを示した送風機の実験データ。
【図１１】従来例を示した図１と同様の概要説明図。
【符号の説明】
３…冷蔵庫本体
１７…庫内背面
１９…ダクト通路
２９…送風機
３７…モータ部
４３…支持ダクト
５３…モータコード
５５…モータハウジング
【図１】
2004020134.tif 000003
【図２】
2004020134.tif 000004
【図３】
2004020134.tif 000005
【図４】
2004020134.tif 000006
【図５】
2004020134.tif 000007
【図６】
2004020134.tif 000008
【図７】
2004020134.tif 000009
【図８】
2004020134.tif 000010
【図９】
2004020134.tif 000011
【図１０】
2004020134.tif 000012
【図１１】
2004020134.tif 000013